(57)【要約】      （修正有）【課題】ヒータが未燃焼の香に埋もれてしまう不都合を少なくする。【解決手段】灰入れ用の容器１１と、支持材１２を介して容器１１内に設置する平板状のヒータ１３とを備え、容器１１には、支持材１２を埋めるとともにヒータ１３の上面を露出させるようにして灰１４を入れる。【選択図】図１
2017018389.tif 000002
【特許請求の範囲】
【請求項１】
灰入れ用の容器と、支持材を介して前記容器内に設置する平板状のヒータとを備えてなり、前記容器には、前記支持材を埋めるとともに前記ヒータの上面を露出させるようにして灰を入れることを特徴とする焼香装置。
【請求項２】
前記支持材は、金網材を屈曲して上面の支承部と脚部とを形成することを特徴とする請求項１記載の焼香装置。
【請求項３】
前記支持材は、パンチングメタル材を屈曲して上面の支承部と脚部とを形成することを特徴とする請求項１記載の焼香装置。
【請求項４】
前記ヒータは、焼香者を検知する人感センサにより通電制御するとともに、温度センサにより温度制御することを特徴とする請求項１ないし請求項３のいずれか記載の焼香装置。
【発明の詳細な説明】
【技術分野】
【０００１】
この発明は、たとえば斎場や寺院などにおいて、焼香のために使用する焼香装置に関する。
【背景技術】
【０００２】
電気式のヒータを使用する焼香装置が提案されている。
【０００３】
従来の焼香装置は、上向きに開拡する容器の底部に平板状のヒータを設置し、ヒータの上面に粉状の香を散らすように落として香を燃焼させ、焼香をすることができる（たとえば特許文献１、２）。
【先行技術文献】
【特許文献】
【０００４】
【特許文献１】特開２００９−５０３５８号公報
【特許文献２】特開２０１５−１６２４１号公報
【発明の概要】
【発明が解決しようとする課題】
【０００５】
かかる従来技術によるときは、ヒータは、容器の底部に設置されているので、外気温が低いと容器の熱容量のために香の燃焼温度に達するまでの時間が過大になる傾向があり、ヒータの温度が不足しているときに複数の焼香者が連続して焼香すると、ヒータが未燃焼の香に埋もれて焼香機能が失われることがあるという問題があった。
【０００６】
そこで、この発明の目的は、かかる従来技術の問題に鑑み、灰入れ用の容器内のヒータの設置形態を工夫することによって、外気温が低いときであっても、ヒータが未燃焼の香に埋もれることによる不都合を少なくすることができる焼香装置を提供することにある。
【課題を解決するための手段】
【０００７】
かかる目的を達成するためのこの発明の構成は、灰入れ用の容器と、支持材を介して容器内に設置する平板状のヒータとを備えてなり、容器には、支持材を埋めるとともにヒータの上面を露出させるようにして灰を入れることをその要旨とする。
【０００８】
なお、支持材は、金網材を屈曲して上面の支承部と脚部とを形成することができ、パンチングメタル材を屈曲して上面の支承部と脚部とを形成することができる。
【０００９】
また、ヒータは、焼香者を検知する人感センサにより通電制御するとともに、温度センサにより温度制御してもよい。
【発明の効果】
【００１０】
かかる発明の構成によるときは、ヒータは、容器内において、支持材を介し、容器の底部から十分に離して設置されている。そこで、ヒータは、熱的に容器から隔離されており、外気温が低くても、速やかに香の燃焼温度以上に昇温させることができる。なお、容器内には、支持材を埋め、ヒータの上面を露出させるようにして灰を入れるので、ヒータの表面温度を必要十分に高く維持することができ、ヒータ上に未燃焼の香が堆積する機会を最少にすることができる。また、香が燃焼した後の灰をヒータの周囲に掃き出すことも容易である。
【００１１】
支持材は、ヒータからの熱を不必要に伝熱したり放散したりしないように、しかも十分な耐熱性を有するように、たとえば鉄材、鋼材、ステンレス鋼材、アルミニウム材などの金属製の金網材やパンチングメタル材などを屈曲して作ることが好ましい。なお、支持材は、ヒータを設置する上面の支承部と、支承部を支持する脚部とを一体に形成してもよく、これらを別材にして形成してもよい。ただし、後者の場合は、少なくとも上面の支承部を金網材またはパンチングメタル材とすることが好ましい。
【００１２】
ヒータは、焼香者を検知する人感センサの作動によって通電を開始し、速やかに所定温度にまで昇温させる一方、焼香を終えて焼香者が立ち去っても、所定時間だけ通電を継続することにより、ヒータ上の香を燃焼させてしまうことができる。ただし、このときのヒータは、温度が過大になったり、それによってヒータ自体の寿命が損われたりしないように、温度センサによる温度制御を併用することにより、所定の最高温度に維持することが好ましい。
【図面の簡単な説明】
【００１３】
【図１】全体構成模式縦断面図
【図２】要部模式分解斜視図
【図３】電気回路ブロック系統図
【図４】動作説明線図
【図５】他の実施の形態を示す支持材の展開説明図
【発明を実施するための形態】
【００１４】
以下、図面を以って発明の実施の形態を説明する。
【００１５】
焼香装置は、灰入れ用の容器１１、支持材１２、平板状のヒータ１３を備えてなる（図１、図２）。
【００１６】
容器１１は、陶磁器製、金属製などの耐火性の皿状容器である。容器１１の全体形状は、長方形状であり、四周の周縁部は、斜め上向きに開拡されている。
【００１７】
支持材１２は、長方形の金網材の両端部を下向きに屈曲させることにより、上面の平坦な支承部１２ａの両側に下向きの脚部１２ｂ、１２ｂを一体に形成して構成されている。支持材１２の金網材は、図示の平織金網の他、亀甲金網、クリンプ金網、長目金網、菱形金網などでもよく、ヒータ１３を支承部１２ａ上に設置するとき、ヒータ１３との接触面積ができるだけ小さいことが好ましい。
【００１８】
ヒータ１３は、たとえばアルミナ製の基板内に発熱体を埋設して一体焼結するセラミックヒータである。ただし、ヒータ１３は、たとえばマイカ板などの絶縁材によって発熱体を保護する形式であってもよい。ヒータ１３は、支持材１２を介して容器１１内に設置されている。すなわち、支持材１２は、脚部１２ｂ、１２ｂを介して容器１１の底部に着地させ、ヒータ１３は、支持材１２の支承部１２ａの略中央部に載置されている。支持材１２上のヒータ１３の上面は、容器１１の上縁より低く設定されている。
【００１９】
容器１１には、支持材１２を埋め、ヒータ１３の上面を露出させるようにして、灰１４が投入されている。また、容器１１は、適切な外観の外装箱１５に収納されている。ただし、外装箱１５には、容器１１と併置するようにして、図示しない香入れ用の容器を併せて収納してもよい。
【００２０】
ヒータ１３は、コンセントＣＳ、電源スイッチ２１、通電制御部２２、温度制御部２３を介し、図示しない商用電源から給電することができる（図３）。通電制御部２２には、焼香者を検知する人感センサＭＳの出力が入力されており、電源投入を示す表示ランプＬ1 、ヒータ１３の通電状態を示す表示ランプＬ2 が付設されている。また、温度制御部２３には、ヒータ１３の表面温度Ｔを検出する温度センサＴＳの出力が入力されている。なお、人感センサＭＳは、外装箱１５の正面に取り付けて、たとえば数ｍ先きの焼香者の到来を検知するものとし、電源スイッチ２１は、たとえば外装箱１５の側面に取り付け、表示ランプＬ1 、Ｌ2 は、たとえば外装箱１５の上面に取り付けるものとする。また、通電制御部２２、温度制御部２３は、たとえば図示しない基板に搭載して外装箱１５内に組み込むことができる。
【００２１】
かかる焼香装置の作動は、たとえば図４のとおりである。ただし、図４の曲線（１）〜（４）は、それぞれ共通の時刻ｔの経過に対し、人感センサＭＳによる焼香者の検知期間、通電制御部２２による温度制御部２３、ヒータ１３に対する通電期間、ヒータ１３の表面温度Ｔ、焼香者による焼香期間を表わしている。
【００２２】
人感センサＭＳは、焼香のために焼香装置に近付く焼香者を検知して作動し（図４の曲線（１）、時刻ｔ＝ｔo 、以下、それぞれ単に（１）、ｔ＝ｔo のように記す）、時刻ｔ＝ｔ1 〜ｔ2 の間に焼香を済ませた焼香者が立ち去ると（４）、非検知状態にリセットされる（（１）、ｔ＝ｔ2 ）。これに対し、通電制御部２２は、人感センサＭＳの作動とともにオン状態となって温度制御部２３を介してヒータ１３に通電し（（２）、ｔ＝ｔo ）、人感センサＭＳのリセット後、所定の遅れ時間ｔd の経過によりオフ状態となってヒータ１３の通電を停止する（（２）、ｔ＝ｔ3 ＝ｔ2 ＋ｔd ）。
【００２３】
一方、このときのヒータ１３は、通電開始とともに昇温が開始され（（３）、ｔ＝ｔo ）、時刻ｔ＝ｔa ＜ｔ1 において香の燃焼温度相当の焼香可能な表面温度Ｔ＝Ｔ1 ≒１５０℃に到達する。そこで、焼香者は、図４の曲線（４）のように、時刻ｔ1 〜ｔ2 において焼香することができる。なお、ヒータ１３の表面温度Ｔ＝Ｔ2 ≒３００℃になると（（３）、ｔ＝ｔb ）、温度制御部２３は、ヒータ１３の表面温度Ｔ≒Ｔ2 を維持するように温度制御を実行し（（３）、ｔ＝ｔb 〜ｔ3 ）、ヒータ１３上の未燃焼の香を適切に燃焼させることができる（（３）、ｔ＝ｔ2 〜ｔ3 ）。
【００２４】
ただし、ヒータ１３の表面温度Ｔ≒Ｔ2 となる時刻ｔ＝ｔb は、図示のｔb ＞ｔ2 の焼香期間後に限らず、ｔ1 ＜ｔb ≦ｔ2 の焼香期間中であってもよく、ｔb ≦ｔ1 の焼香期間前であってもよい。なお、ヒータ１３の表面温度Ｔ≒Ｔ2 を維持する温度制御部２３は、たとえばサーモスタット形の温度センサＴＳと組み合わせるオンオフ制御器であってもよく、たとえば熱電対やサーミスタなどの温度センサＴＳと組み合わせる比例制御器であってもよい。また、温度センサＴＳは、図３に拘らず、ヒータ１３の下面側の表面温度Ｔを検出することが好ましい。
【００２５】
なお、人感センサＭＳは、複数の焼香者が連続的に到来すると、焼香者を連続して検知して作動し続け、非検知状態にリセットされることがない。そこで、このときの通電制御部２２は、継続してヒータ１３に通電し、温度制御部２３は、表面温度Ｔ≒Ｔ2 を維持するように温度制御を継続する。なお、最後の焼香者が焼香して立ち去れば、人感センサＭＳがリセットされ、図４の時刻ｔ＞ｔ2 に準じて、遅れ時間ｔd の後に通電制御部２２がオフ状態になり、ヒータ１３の通電が停止される。
【他の実施の形態】
【００２６】
支持材１２は、金網材に代えて、パンチングメタル材を使用することができる（図５）。ただし、図５（Ａ）は、支承部１２ａ、脚部１２ｂ、１２ｂを含む支持材１２の模式展開図であり、図５（Ｂ）、（Ｃ）は、それぞれ別の実施の形態を示すパンチングメタル材の孔１２ｃ部分の要部拡大断面図である。すなわち、パンチングメタル材の孔１２ｃは、単純な打抜孔としてもよく（図５（Ｂ））、バーリング加工の周縁部１２ｃ1 を上向きに形成してもよい（図５（Ｃ））。また、パンチングメタル材の孔１２ｃは、図示の丸孔に限らず、角孔、長角孔、六角形孔、菱形孔、長丸孔などとしてもよい。
【００２７】
以上の説明において、容器１１、支持材１２、外装箱１５を含む全体形状は、図示の直方体状の他、立方体状、円柱状、長円柱状、角柱状などに形成可能である。
【産業上の利用可能性】
【００２８】
この発明は、斎場や寺院などの他、一般家庭などにおいても、広く好適に使用することができる。
【符号の説明】
【００２９】
ＭＳ…人感センサ
ＴＳ…温度センサ
１１…容器
１２…支持材
１２ａ…支承部
１２ｂ…脚部
１３…ヒータ
１４…灰
特許出願人      アクソンデータマシン株式会社
【図１】
2017018389.tif 000003
【図２】
2017018389.tif 000004
【図３】
2017018389.tif 000005
【図４】
2017018389.tif 000006
【図５】
2017018389.tif 000007